(57)【要約】【課題】  本発明は、レットラインの巻取り時にはテンションをかけた状態で巻き取れると共に、容易に取り外すことができるレットライン巻取装置を提供することを目的とするものである。【解決手段】  本発明は、その円周縁に沿って複数の起倒軸係留用溝部９が切欠形成された旋回部５が駆動軸４に装着される駆動部７と、前記旋回部５に外挿され、その内周縁に沿って前記複数の起倒軸係留用溝部９に対応する位置に起倒軸係止用溝部１９が形成されるロープ受け板１７と、前記起倒ロープ受け板１７の下方に一体的に装着される旋回起倒軸受け台１４に、前記それぞれの起倒軸係止用溝部１９に対応する位置に、その下端が連結枢支されると共に、その中途部が前記起倒軸係止用溝部１９および起倒軸係留用溝部９によって係止される起倒軸１５とを備えた構成とする。【選択図】        図１
2005060082.tif 000002
【特許請求の範囲】
【請求項１】
その円周縁に沿って複数の起倒軸係留用溝部が切欠形成された旋回部が駆動軸に装着される駆動部と、
前記旋回部に外挿され、その内周縁に沿って前記複数の起倒軸係留用溝部に対応する位置に起倒軸係止用溝部が形成されるロープ受け板と、
前記起倒ロープ受け板の下方に一体的に装着される旋回起倒軸受け台に、前記それぞれの起倒軸係止用溝部に対応する位置に、その下端が連結枢支されると共に、その中途部が前記起倒軸係止用溝部および起倒軸係留用溝部によって係止される起倒軸とを備え、
前記起倒軸係留用溝部は、巻取り方向に向けて順次溝深さが大となるように形成することにより、旋回部の巻取り方向への回転では起倒軸が起立した状態で回転し、逆回転時には起倒軸が内側へ傾倒する如き構成とする
ことを特徴とするレットライン巻取装置。
【発明の詳細な説明】
【技術分野】
【０００１】
本発明はレットライン巻取装置に関する。詳しくは漁船の接岸や漁船同士をつなぐためのもやいロープのパイロットロープとしてのレットライン巻取装置に係るものである。
【背景技術】
【０００２】
従来より船舶の接岸の際に岸壁に設けられるフックに引っ掛けて船舶を安全に接岸させるためのロープ、又は船舶同士をつなぐために用いられるロープとして図６に示すようにもやいロープ１０１がある。このもやいロープ１０１は、船舶を引き寄せるのに耐えることができるようにロープ径が大きく、かつ重いためにもやいロープ１０１の先端にパイロット用ロープとしてのレットライン１０２が接続され、更にその先端に砂が収納される袋体やゴムにより形成される投球１０３が装着され、この投球１０３を目標物に投げ入れて軽量かつ細径としたレットライン１０２によってもやいロープ１０１を手繰り寄せてもやいロープ１０１を大型の巻取装置によって巻取ながら船舶を引き寄せる手法が取られているのが現状である。
【０００３】
また、ロープの巻取装置として例えば図７に示すように、ベースと、このベース上に垂設してなる支持フレーム１０８と、この支持フレーム１０８に回転自在に支持された巻取ドラム本体１０４と、この巻取ドラム本体１０４を回転させる駆動源とからなり、かつ、支持フレーム１０２に設けられた電動機１０５と、支持フレーム１０２に設けられ、かつ電動機１０５の回転力を巻取ドラム本体１０４に伝達する伝達機構１０６とを備えるとともに、巻取ドラム本体１０４が、既設ロープ１０７を巻き取るドラム部１０８を間に挟んで対峙する一対の巻取部材１０９を有するとともに、ロープ巻取部材１０９の内側面に、既設ロープ１０７の端部を着脱可能に取付ける取付部材１１０を設けた構成とする（例えば特許文献１参照。）。
【０００４】
【特許文献１】特開平１１−２２８０５０号（要約書、第１図）
【発明の開示】
【発明が解決しようとする課題】
【０００５】
しかしながらレットラインは通常はループ状に束ねられており、船舶の接岸や船舶同士の連結後にはレットラインは直ちに巻き取る必要性が生じ、手動では非常に手間がかかる問題があり、例えば前記構成の巻取装置によって巻き取る場合には、巻き取った後にループの状態で巻取装置から取り外す必要があり、このような装置ではテンションをかけた状態で巻き取られているために容易に取り外すことができない問題がある。
【０００６】
本発明は、以上の点に鑑みて創案されたものであって、レットラインの巻取り時にはテンションをかけた状態で巻き取れると共に、容易に取り外すことができるレットライン巻取装置を提供することを目的とするものである。
【課題を解決するための手段】
【０００７】
上記の目的を達成するために、本発明に係るレットライン巻取装置は、その円周縁に沿って複数の起倒軸係留用溝部が切欠形成された旋回部が駆動軸に装着される駆動部と、前記旋回部に外挿され、その内周縁に沿って前記複数の起倒軸係留用溝部に対応する位置に起倒軸係止用溝部が形成されるロープ受け板と、前記起倒ロープ受け板の下方に一体的に装着される旋回起倒軸受け台に、前記それぞれの起倒軸係止用溝部に対応する位置に、その下端が連結枢支されると共に、その中途部が前記起倒軸係止用溝部および起倒軸係留用溝部によって係止される起倒軸とを備え、前記起倒軸係留用溝部は、巻取り方向に向けて順次溝深さが大となるように形成することにより、旋回部の巻取り方向への回転では起倒軸が起立した状態で回転し、逆回転時には起倒軸が内側へ傾倒する如き構成とする。
【０００８】
ここで、旋回部が巻取り方向へ回転することにより、起倒軸が起倒軸係留用溝部と起倒軸係止用溝部とにより係止されることにより、旋回軸の回転により起倒軸およびロープ受け板が一体的に回転することとなる。この場合に起倒軸が起倒軸係留用溝部によって圧接されることにより、起倒軸が垂直上に起立した状態でレットラインの巻取りを行い、このレットラインの巻取り終了時に、旋回軸を逆回転することにより起倒軸と起倒軸係留用溝部との間に隙間が生じ、各起倒軸が内側へ傾倒することにより起倒軸による巻取り径が縮小され、レットラインの取外しが容易に行えることとなる。
【発明の効果】
【０００９】
本発明のレットライン巻取装置では、レットラインの巻き取り時には、旋回軸によって起倒軸が外側へ押し広げられた状態でロープ受け板が回転し、レットラインにテンションをかけた状態での巻き取りが可能となる。更に巻き取り終了時には旋回軸を逆回転することにより、起倒軸が内方向へ傾倒することで巻き取られたレットラインを容易に取り外すことが可能となる。
【００１０】
また、旋回軸の正、逆回転により起倒軸の傾倒を行うと共に、ロープ受け板を回転させる機構とすることにより、一個の駆動部により複数の機能を兼ねて行うことができ、部品点数が少なく、かつ小型化した巻取装置の製作が可能となる。
【発明を実施するための最良の形態】
【００１１】
以下、本発明の実施の形態を図面を参酌しながら説明し、本発明の理解に供する。
【００１２】
図１に、本発明を適用したレットライン巻取装置の一例を説明するための正面説明図、図２は図１における平面説明図を示す。ここで示す巻取装置１は、下部ケース２内に駆動軸４が垂直となるように油圧モーター３が設置され、この油圧モーター３の駆動軸４には旋回部５がボルト部材６によって一体的に装着され、正、逆駆動回転自在な機構とした駆動部７が設けられるものである。そこで旋回軸５は、一定厚さを有するヘッド部８の周縁に沿って起倒軸の本数分（本実施例では６個）の起倒軸係留用溝部９が切欠形成される。
【００１３】
次に前記下部ケース２上には、円筒状のガイド部１０が立設される上部ケース１１がボルト部材６によって連結される。この上部ケース１１の上端位置に前記旋回部５のヘッド部８の上端とが略同一面上に位置するように設置されるものであり、この旋回部５に起倒軸部１２が外挿するような状態で設置される。
【００１４】
そこで図３に示すように巻取部１２は、その中途内周に段差部１３を設けた円筒状の旋回起倒軸受け台１４の段差部１３に一定間隔ごとに複数の起倒軸１５（本実施例では６本）が、旋回ベアリング受け台１４の中心方向へ傾倒可能となるように、その下端が連結ピン１６によって連結枢支されるものである。
【００１５】
また、前記旋回起倒軸受け台１４の上部開口端にはロープ受け板１７が装着されるものであり、このロープ受け板１７には旋回軸５が自在に正、逆回転できる穴部１８が開設される。そして穴部１８の内周の前記旋回軸５が垂直上となる位置に、それぞれ旋回部５の外周の一部が嵌合される半円形状の起倒軸係止用溝部１９が形成されるものである。
【００１６】
従って旋回軸５に起倒軸受け台１４およびロープ受け板１７を外挿することにより、起倒軸１５は、ロープ受け板１７の係止用溝部１９と旋回部５の起倒軸係留用溝部９とによって係留され、旋回軸５の駆動回転により起倒軸１５を介してベアリング受け台１４およびロープ受け板１７が回転することとなる。
【００１７】
そこで前記旋回軸５の起倒軸係留用溝部９は、巻取り方向の先端より後端に向けて順次溝深さが小となるように形成されている。即ち、旋回部５が巻取り方向へ駆動回転する場合には、起倒軸１５は起倒軸係留用溝部９の後端側によって圧接された状態で係留するために各起倒軸５は垂直状に起立した状態で回転することとなる。
【００１８】
一方、レットラインの巻取りが完了した場合には、旋回軸５を逆回転することにより起倒軸１５は起倒軸係留用溝部９の後端側によって係留するために各起倒軸１５と起倒軸係留用溝部９との間に隙間が生じ、この隙間によって各起倒軸１５はロープ受け板１７の中心方向へ傾倒し、これにより巻き取られたレットラインの取外しが容易に行えることとなる。
【００１９】
また、前記旋回起倒軸受け台１４は、上部ケース１１内にベアリング部材２０を介して回転自在な状態で設置されるものであり、これにより旋回部５の回転を起動軸１５を介してロープ受け板１７と一体的に装着されるベアリング受け台１４をベアリング部材２０によって支障なく回転させることとなる。
【００２０】
なお、駆動部は必ずしも油圧モーターである必要性は無く、駆動力を有するものであれば、電動モーターや内燃エンジンなどいかなるものであっても良いが、甲板上や岸壁上に常設することから故障の少ない耐久性に優れた駆動部とすることが望ましい。
【００２１】
また、起倒軸は必ずしも６本により形成される必要性は無く、レットラインを巻き取るために最小限必要な２本以上であればいかなる本数であっても良いが、ループ形状が円に近く、かつ起動軸の傾倒をスムーズに行える本数として６本が最も望ましい。
【００２２】
以上の構成より成る本発明では図４に示すように、レットラインＡの巻き取り時の場合には、油圧モーター３により旋回部５を巻き取り方向へ回転することにより、起倒軸１５の外周面は旋回部５に形成される起倒軸係留用溝部９の後端側に押圧されながら係止することになり、この押圧力により起倒軸１５は垂直に起立した状態で回転することになり、レットラインＡにはテンションがかけられた状態での巻取りが可能となる。
【００２３】
次に図５に示すように、レットラインＡの巻取りが完了した時点で、油圧モーター３により旋回部５を巻取り方向とは逆の方向へ起倒軸係留用溝部９の長さ分だけ回転させることで、起倒軸１５の外周面は旋回部５に形成される起倒軸係留用溝部９の先端側との間に隙間が生じることになり、この隙間によって各起倒軸１５はロープ受け板１７の中心方向に向けて傾倒することとなり、その結果起倒軸１５による巻取り径が縮小されてレットラインＡの抜き取りが容易に行えることとなる。
【００２４】
このように本発明では旋回軸５の正、逆回転によりレットラインＡの巻取りおよび取外しが容易に行えることとなる。
【図面の簡単な説明】
【００２５】
【図１】本発明を適用したレットライン巻取装置の一例を説明するための正面説明図である。
【図２】図１における平面説明図である。
【図３】本発明を適用したレットライン巻取装置の一例を説明するための分解説明図である。
【図４】本発明を適用したレットライン巻取装置によるレットラインの巻取り状態を示す作用説明図である。
【図５】本発明を適用したレットライン巻取装置によるレットラインの取外し状態を示す作用説明図である。
【図６】もよりロープの一例を示す説明図である。
【図７】従来のロープ巻取装置の一例を示す説明図である。
【符号の説明】
【００２６】
１      巻取装置
２      下部ケース
３      油圧モーター
４      駆動軸
５      旋回部
６      ボルト部材
７      駆動部
８      ヘッド部
９      起倒軸係留用溝部
１０    ガイド部
１１    上部ケース
１２    巻取部
１３    段差部
１４    旋回起倒軸受け台
１５    起倒軸
１６    連結ピン
１７    ロープ受け板
１８    穴部
１９    起倒軸係止用溝部
２０    ベアリング部材
【図１】
2005060082.tif 000003
【図２】
2005060082.tif 000004
【図３】
2005060082.tif 000005
【図４】
2005060082.tif 000006
【図５】
2005060082.tif 000007
【図６】
2005060082.tif 000008
【図７】
2005060082.tif 000009